(57)【要約】【課題】    本発明の目的は、挟持状態を強固にした留め具を提供するものである。【解決手段】    留め具Ｔは、シート状体Ｓの一方の面Ｓ１に当接する当接部材１と、略環状に形成された環状壁部２Ａを有した本体２と、この本体２に回動自在に取り付けられ、環状壁部２Ａの外側に嵌合される略環状に形成された嵌合環状体３とを有し、環状壁部２Ａの内方は、シート状体Ｓの一方の面Ｓ１に当接する当接部材１を受け入れる凹所２Ａ１である。【選択図】図５
2018175581.tif 000002
【特許請求の範囲】
【請求項１】
シート状体の一方の面に当接する当接部材と、
略環状に形成された環状壁部を有した本体と、
この本体に回動自在に取り付けられ、前記環状壁部の外側に嵌合される略環状に形成された嵌合環状体とを有し、
前記環状壁部の内方は、前記シート状体の一方の面に当接する前記当接部材を受け入れる凹所である
ことを特徴とする留め具。
【請求項２】
環状壁部に外方に開口するスリットが複数設けられている
ことを特徴とする請求項１記載の留め具。
【請求項３】
環状壁部の内方に設けた凹所に受け入れたシート状体の一方の面に当接した当接部材が前記凹所内から離脱するのを防ぐストッパーが、前記凹所の出入口に設けられている
ことを特徴とする請求項２記載の留め具。
【請求項４】
本体に名札を取り付ける取付部を回動自在に取り付けられ、
前記取付部に係止部、前記取付部に対向する本体の部位に前記係止部に係止される被係止部を設けるか、
又は、前記取付部に被係止部、前記取付部に対向する本体の部位に前記被係止部に係止する係止部を設けるか、のいずれかであり、
前記係止部が前記被係止部に係止した状態は、前記名札が表面か又は前記名札が裏面である
ことを特徴とする請求項１記載の留め具。
【請求項５】
環状壁部の外側に設けられた爪が係止する第１の係止部と、
嵌合環状体の外側に設けられた爪が係止する第２の係止部とを備え、
前記嵌合環状体が環状壁部の外側に嵌合された時、前記第１の係止部が前記第２の係止部に近接する位置にある
ことを特徴とする請求項１記載の留め具。
【発明の詳細な説明】
【技術分野】
【０００１】
本発明は、留め具に係り、特に、挟持状態を強固にした留め具に関する。
【背景技術】
【０００２】
従来、布地に穴を開けず、布地を挟持して留める留め具がある（特許文献参照）。
この留め具は、布地の表面側と裏面側に配置される第１係止部材と第２係止部材とを係合させて布地に係止されるようにし、第１係止部材として、側面に開口部を有する外筒内に、バネを介して、側面に開口部を有する内筒を挿入して構成する。また、第２係止部材として、基板から突出する突出部の先端に係合突起を設ける。そして、布地を通して第２係止部材の突出部を第１係止部材の開口部に挿入することにより布地に係止するようにしている。
【先行技術文献】
【特許文献】
【０００３】
【特許文献１】特許第５３３９９０９号公報
【発明の概要】
【発明が解決しようとする課題】
【０００４】
しかしながら、上記留め具にあって、布地にバネの付勢力と反対方向に力が作用すると、留め具が布地から容易に離脱するという問題点が生じた。
【０００５】
本発明は、上記問題点を考慮してなされたもので、挟持状態を強固にした留め具を提供することを目的とする。
【課題を解決するための手段】
【０００６】
請求項１記載の留め具は、シート状体の一方の面に当接する当接部材と、略環状に形成された環状壁部を有した本体と、この本体に回動自在に取り付けられ、前記環状壁部の外側に嵌合される略環状に形成された嵌合環状体とを有し、前記環状壁部の内方は、前記シート状体の一方の面に当接する前記当接部材を受け入れる凹所である。
【０００７】
また、請求項２記載の留め具は、請求項１記載の留め具において、環状壁部に外方に開口するスリットが複数設けられているものである。
【０００８】
また、請求項３記載の留め具は、請求項２記載の留め具において、環状壁部の内方に設けた凹所に受け入れたシート状体の一方の面に当接した当接部材が前記凹所内から離脱するのを防ぐストッパーが、前記凹所の出入口に設けられているものである。
【０００９】
また、請求項４記載の留め具は、請求項１記載の留め具において、本体に名札を取り付ける取付部を回動自在に取り付けられ、前記取付部に係止部、前記取付部に対向する本体の部位に前記係止部に係止される被係止部を設けるか、又は、前記取付部に被係止部、前記取付部に対向する本体の部位に前記被係止部に係止する係止部を設けるか、のいずれかであり、前記係止部が前記被係止部に係止した状態は、前記名札が表面か又は前記名札が裏面である。
【００１０】
また、請求項５記載の留め具は、請求項１記載の留め具において、環状壁部の外側に設けられた爪が係止する第１の係止部と、嵌合環状体の外側に設けられた爪が係止する第２の係止部とを備え、前記嵌合環状体が環状壁部の外側に嵌合された時、前記第１の係止部が前記第２の係止部に近接する位置にある。
【発明の効果】
【００１１】
請求項１記載の留め具によれば、シート状体の一方の面に当接した当接部材を環状壁部の内方に設けた凹所に受け入れた後、嵌合環状体を環状壁部の外側に嵌合すれば、嵌合環状体の内壁が環状壁部の外壁に当接して挟持状態がロックされ、シート状体が環状壁部の内壁と当接部材とで挟持された挟持状態を保持することができ、しかも、挟持状態が強固な上、挟持状態の周縁部に生じるしわも少ない等の効果を有する。
【００１２】
また、請求項２記載の留め具によれば、上述した請求項１記載の発明の効果に加え、環状壁部に外方に開口するスリットが複数設けられているため、環状壁部の変形を容易にして嵌合環状体を環状壁部の外側に嵌合した際、嵌合状態を強固にすることができる。
【００１３】
また、請求項３記載の留め具によれば、上述した請求項２記載の発明の効果に加え、環状壁部の内方に設けた凹所に受け入れたシート状体の一方の面に当接した当接部材が凹所内から離脱するのをストッパーにより防ぐことができ、また、環状壁部の内方に設けた凹所に受け入れたシート状体の一方の面に当接した当接部材が凹所内から離脱するには、嵌合環状体と環状壁部の嵌合状態を解除するようにシート状体を引っ張り出せば、ストッパーが変形して環状壁部の内方に設けた凹所からシート状体の一方の面に当接した当接部材を取り出すことができる。
【００１４】
また、請求項４記載の留め具によれば、上述した請求項１記載の発明の効果に加え、取付部に名札を取り付け、名札を回転させれば、名札の回転に伴い、取付部も回動すると共に、係止部が被係止部に係止すれば、表面となった名札又は裏面となった名札の状態を保持することができる。
【００１５】
また、請求項５記載の留め具によれば、上述した請求項１記載の発明の効果に加え、嵌合環状体が環状壁部の外側に嵌合された時、前記第１の係止部が前記第２の係止部に近接する位置にあるため、第１の係止部と第２の係止部に爪を係止させて、嵌合環状体と環状壁部の嵌合状態を容易に解除させることができる。
【図面の簡単な説明】
【００１６】
【図１】図１は、本発明の一実施例の留め具の概略的正面図である。
【図２】図２は、図１の概略的側面図である。
【図３】図３は、図１のＡ−Ａの概略的断面図である。
【図４】図４は、図２のＢ−Ｂの概略的断面図である。
【図５】図５は、図１の留め具の取り付け状態を示す概略的斜視図である。
【図６】図６は、図５の留め具をシート状体に取り付けた状態を示す概略的斜視図である。
【図７】図７は、図６の名札を回動する状態を示す概略的斜視図である。
【発明を実施するための形態】
【００１７】
本発明の一実施例の留め具を図面（図１乃至図７）を参照して説明する。
図１に示すＴは、シート状体Ｓに穴を開けず、シート状体Ｓ(図３、図５乃至図７参照)を挟持して留める留め具である。
この留め具Ｔは、図５に示すように、シート状体Ｓの一方の面Ｓ１に当接する当接部材１と、略環状に形成された環状壁部２Ａを有した本体２と、この本体２に回動自在に取り付けられ、環状壁部２Ａの外側に嵌合される略環状に形成された嵌合環状体３とを有している。
なお。環状壁部２Ａの内方は、シート状体Ｓの一方の面Ｓ１に当接した当接部材１を受け入れる凹所２Ａ１であり、２Ａ１１は、凹所２Ａ１の底部である。
【００１８】
また、図１に示す４は、本体２に回動自在に取り付けられた取付部で、取付部４には、例えば、名札５が取り付けられている。
上述した当接部材１、本体２、嵌合環状体３、取付部４は、プラスチックで形成されている。
なお、シート状体Ｓは、例えば、衣服等の布で、一方の面（裏面）Ｓ１と他方の面（表面）Ｓ２を有し、当接部材１は、例えば、ボタンである。
【００１９】
従って、上述した留め具Ｔによれば、図５に示すように、シート状体Ｓを挟み込むように、当接部材１を環状壁部２Ａの内方へと嵌め込むと、シート状体Ｓの一方の面（裏面）Ｓ１に当接した当接部材１を環状壁部２Ａの内方に設けた凹所２Ａ１に受け入れられ、その後、図６に示すように、嵌合環状体３を環状壁部２Ａの外壁に嵌合すれば、嵌合環状体３の内壁が環状壁部２Ａの外壁に当接して挟持状態がロックされ、シート状体Ｓが環状壁部２Ａの内壁と当接部材１とで挟持された挟持状態を保持することができ、しかも、挟持状態が強固な上、挟持状態の周縁部に生じるしわも少ない等の効果を有する。
【００２０】
また、図５に示す２Ａ２は環状壁部２Ａに設けられた外方に開口するスリットで、スリット２Ａ２は、複数設けられている。
スリット２Ａ２が複数設けられているため、環状壁部２Ａの変形を容易にして嵌合環状体３を環状壁部２Ａの外側に嵌合した際、嵌合状態を強固にすることができる。
【００２１】
また、図３に示す２Ｃは、環状壁部２Ａの内方に設けた凹所２Ａ１内のシート状体Ｓの一方の面（裏面）Ｓ１に当接した当接部材１のストッパーで、ストッパー２Ｃは、凹所２Ａ１の出入口に設けられている。
即ち、環状壁部２Ａの内方に設けた凹所２Ａ１に受け入れたシート状体Ｓの一方の面Ｓ１に当接した当接部材１が凹所２Ａ１内から離脱するのをストッパー２Ｃにより防ぐことができ、
また、環状壁部２Ａの内方に設けた凹所２Ａ１に受け入れたシート状体Ｓの一方の面Ｓ１に当接した当接部材１が凹所２Ａ１内から離脱するには、嵌合環状体３と環状壁部２Ａの嵌合状態を解除するようにシート状体Ｓを引っ張り出せば、ストッパー２Ｃが変形して環状壁部２Ａの内方に設けた凹所２Ａ１からシート状体Ｓの一方の面Ｓ１に当接した当接部材１を取り出すことができる。
【００２２】
また、図３に示す２Ｅは環状壁部２Ａの外側に設けられた爪が係止する第１の係止部で、３Ｅは嵌合環状体３の外側に設けられた爪が係止する第２の係止部である。
そして、第１の係止部２Ｅと第２の係止部３Ｅとは、嵌合環状体３が環状壁部２Ａの外側に嵌合された時、第１の係止部２Ｅが第２の係止部３Ｅに近接する位置にある（図３参照）。
そのため、第１の係止部２Ｅと第２の係止部３Ｅに爪を係止させて、嵌合環状体３と環状壁部２Ａの嵌合状態を容易に解除させることができる。
【００２３】
また、上述した取付部４には、名札５のピン５１を通す通路４１（図５参照）が設けられている。
取付部４は、本体２の下部に設けた軸２Ｄ（図４参照）に回動自在に取り付けられている。図４に示す４２、４２は取付部４に設けられた被係止部（例えば、凹部）で、２Ｆ、２Ｆは被係止部４２、４２に係止する係止部（例えば、凸部）である。
【００２４】
従って、図７に示すように、名札５を回転させれば、名札５の回転に伴い、取付部４も回動すると共に、係止部２Ｆ、２Ｆが被係止部４２、４２に係止すれば、裏面となった名札５（又は表面となった名札５）の状態を保持することができる。
なお、本実施例においては、本体２に取付部４の被係止部４２、４２に係止する係止部２Ｆ、２Ｆを設けたが、本願発明においては、これに限らず、逆に、本体２に被係止部（例えば、凹部）、取付部４に係止部（例えば、凸部）を設けるようにしても良い。
【符号の説明】
【００２５】
Ｔ      留め具
Ｓ      シート状体
１      当接部材
２      本体
２Ａ    環状壁部
２Ａ１  凹所
３      嵌合環状体
【図１】
2018175581.tif 000003
【図２】
2018175581.tif 000004
【図３】
2018175581.tif 000005
【図４】
2018175581.tif 000006
【図５】
2018175581.tif 000007
【図６】
2018175581.tif 000008
【図７】
2018175581.tif 000009